(57)【要約】【課題】貯水タンク内の水面レベルを一定に保つことにより、貯水タンク内での炭酸ガスの再溶存を防止するとともに、気相部での窒素消費量を低減できるようにした純水製造装置を提供する。【解決手段】一対の電極間に形成された脱塩室２ａに被処理水を流入させる脱塩室流入ライン３と、脱塩室流入ライン３に被処理水を供給する給水ポンプ１１と、脱塩室２ａにおいてイオンが除去された処理水が流出する処理水流出ライン４と、前記処理水流出ライン４から供給される処理水を貯留する処理水タンク１２と、処理水タンク１２内の処理水の水位を検出するレベルセンサ１３と、レベルセンサ１３の水位検出信号に基づいて給水ポンプ１１の回転速度を制御する制御部１４とを備える。【選択図】図１
2010058012.tif 000002
【特許請求の範囲】
【請求項１】
一対の電極間に陽イオン交換膜および陰イオン交換膜を交互に配列することにより脱塩室および濃縮室が区画形成され、前記脱塩室にはイオン交換体が充填された電気脱イオンモジュールと、
前記脱塩室に被処理水を流入させる脱塩室流入ラインと、
前記濃縮室に被処理水を流入させる濃縮室流入ラインと、
前記脱塩室流入ラインおよび前記濃縮室流入ラインに被処理水を供給する給水ポンプと、
前記脱塩室においてイオンが除去された処理水が流出する処理水流出ラインと、
前記濃縮室においてイオンが濃縮された濃縮水を排水する濃縮水排水ラインと、
前記処理水流出ラインから供給される処理水を貯留する貯水タンクと、
前記貯水タンク内の処理水の水位を検出するレベルセンサと、
前記レベルセンサの水位検出信号に基づいて前記給水ポンプの回転速度を制御する制御部と、を備えたことを特徴とする純水製造装置。
【請求項２】
一対の電極間に陽イオン交換膜および陰イオン交換膜を交互に配列することにより脱塩室および濃縮室が区画形成され、前記脱塩室にはイオン交換体が充填された電気脱イオンモジュールと、
前記脱塩室に被処理水を流入させる脱塩室流入ラインと、
前記濃縮室に被処理水を流入させる濃縮室流入ラインと、
前記脱塩室流入ラインおよび前記濃縮室流入ラインに被処理水を供給する給水ポンプと、
前記脱塩室においてイオンが除去された処理水が流出する処理水流出ラインと、
前記濃縮室においてイオンが濃縮された濃縮水を排水する濃縮水排水ラインと、
前記処理水流出ラインに設けられ、該処理水流出ラインに流れる処理水の流量を調整する流量調整弁と、
前記処理水流出ラインから供給される処理水を貯留する貯水タンクと、
前記貯水タンク内の処理水の水位を検出するレベルセンサと、
前記レベルセンサの水位検出信号に基づいて前記流量調整弁を制御し、前記処理水ラインに流れる処理水流量を調整する制御部と、を備えたことを特徴とする純水製造装置。
【請求項３】
一対の電極間に陽イオン交換膜および陰イオン交換膜を交互に配列することにより脱塩室および濃縮室が区画形成され、前記脱塩室にはイオン交換体が充填された電気脱イオンモジュールと、
前記脱塩室に被処理水を流入させる脱塩室流入ラインと、
前記濃縮室に被処理水を流入させる濃縮室流入ラインと、
前記脱塩室流入ラインおよび前記濃縮室流入ラインに被処理水を供給する給水ポンプと、
前記脱塩室においてイオンが除去された処理水が流出する処理水流出ラインと、
前記濃縮室においてイオンが濃縮された濃縮水を排水する濃縮水排水ラインと、
前記処理水流出ラインから供給される処理水を貯留する貯水タンクと、
前記貯水タンク内の処理水の水位を検出するレベルセンサと、
前記貯水タンク内の処理水を排出する処理水排出ラインに設けられた流量調整弁と、
前記レベルセンサの水位検出信号に基づいて前記流量調整弁を制御し、前記処理水排出ラインに流れる処理水排出流量を調整する制御部と、を備えたことを特徴とする純水製造装置。
【請求項４】
一対の電極間に陽イオン交換膜および陰イオン交換膜を交互に配列することにより脱塩室および濃縮室が区画形成され、前記脱塩室にはイオン交換体が充填された電気脱イオンモジュールと、
前記脱塩室に被処理水を流入させる脱塩室流入ラインと、
前記濃縮室に被処理水を流入させる濃縮室流入ラインと、
前記脱塩室流入ラインおよび前記濃縮室流入ラインに被処理水を供給する給水ポンプと、
前記脱塩室においてイオンが除去された処理水が流出する処理水流出ラインと、
前記濃縮室においてイオンが濃縮された濃縮水を排水する濃縮水排水ラインと、
前記処理水流出ラインから供給される処理水を貯留する貯水タンクと、
前記処理水流出ラインの出口に設けられた、前記貯水タンク内の水面をフロートにより検出して処理水流出ラインを開閉する定水位弁と、を備えたことを特徴とする純水製造装置。
【請求項５】
前記電気脱イオンモジュールに直流電圧および／または直流電流を印加する電源装置と、
前記電源装置に接続され、前記レベルセンサの水位検出信号に基づいて前記電気脱イオンモジュールに印加する直流電圧および／または直流電流を制御する電源制御部と、を備えることを特徴とする請求項１または２に記載の純水製造装置。
【発明の詳細な説明】
【技術分野】
【０００１】
本発明は、電気脱イオン装置を用いて原水を処理するようにした純水製造装置に関する。
【背景技術】
【０００２】
工水、市水、井水或いは半導体製造工程等からの回収水を処理して純水を製造するシステムとして、原水を逆浸透膜装置で処理した後、電気脱イオン装置を用いて処理する純水製造装置が知られている（例えば特許文献１、２）。この種の純水製造装置では、逆浸透膜装置の前段、或いは電気脱イオン装置の前段に炭酸ガスを除去するプロセスを付加するのが一般的である。
【特許文献１】特開２００３−１２５９号公報
【特許文献２】特開２００１−２９７５２号公報
【発明の開示】
【発明が解決しようとする課題】
【０００３】
電気脱イオン装置によって原水を処理して純水を製造する純水製造装置においては、高純度処理された純水を貯水タンクに貯留しておくと、時間の経過により空気中の炭酸ガスが純水に再溶存して純水の比抵抗が低下する。さらに、貯水タンク内において純水の水位が変動すると、炭酸ガスが溶け込みやすくなり、純水の比抵抗はさらに低下する。
【０００４】
このような炭酸ガスの再溶存を防止するため、貯水タンクの気相部に窒素を送り込むことが行われている。この場合、貯水タンク内の純水の水位が上下すると、気相部の容積が変動し、送り込む窒素の量も変動する。例えば、水位が高レベルから低レベルに下降するときは、窒素は気相部に補給され、水位が低レベルから高レベルに上昇するときには、気相部に充満している窒素は気相部から外部に無駄に排気される。このように、水位が上下の変動を繰り返すほど、窒素の消費量も多くなる。
【０００５】
本発明は、貯水タンク内の水面レベルを一定に保つことにより、貯水タンク内での炭酸ガスの再溶存を防止するとともに、気相部で消費する窒素消費量を低減できるようにした純水製造装置を提供することを目的とする。
【課題を解決するための手段】
【０００６】
本発明者は、貯水タンク内の処理水の水位を検出するレベルセンサを設け、このレベルセンサの水位検出信号に基づいて貯水タンクへの給水流量または貯水タンクからの排水流量を制御することにより、貯水タンク内の水面レベルを一定範囲に維持し、これにより、貯水タンク内での炭酸ガスの再溶存を防止するとともに、気相部で消費する窒素消費量を低減できることを見出し、これに基づいて、以下のような新たな純水製造装置を発明するに至った。
【０００７】
（１）  一対の電極間に陽イオン交換膜および陰イオン交換膜を交互に配列することにより脱塩室および濃縮室が区画形成され、前記脱塩室にはイオン交換体が充填された電気脱イオンモジュールと、前記脱塩室に被処理水を流入させる脱塩室流入ラインと、前記濃縮室に被処理水を流入させる濃縮室流入ラインと、前記脱塩室流入ラインおよび前記濃縮室流入ラインに被処理水を供給する給水ポンプと、前記脱塩室においてイオンが除去された処理水が流出する処理水流出ラインと、前記濃縮室においてイオンが濃縮された濃縮水を排水する濃縮水排水ラインと、前記処理水流出ラインから供給される処理水を貯留する貯水タンクと、前記貯水タンク内の処理水の水位を検出するレベルセンサと、前記レベルセンサの水位検出信号に基づいて前記給水ポンプの回転速度を制御する制御部と、を備えたことを特徴とする純水製造装置。
【０００８】
（２）  一対の電極間に陽イオン交換膜および陰イオン交換膜を交互に配列することにより脱塩室および濃縮室が区画形成され、前記脱塩室にはイオン交換体が充填された電気脱イオンモジュールと、前記脱塩室に被処理水を流入させる脱塩室流入ラインと、前記濃縮室に被処理水を流入させる濃縮室流入ラインと、前記脱塩室流入ラインおよび前記濃縮室流入ラインに被処理水を供給する給水ポンプと、前記脱塩室においてイオンが除去された処理水が流出する処理水流出ラインと、前記濃縮室においてイオンが濃縮された濃縮水を排水する濃縮水排水ラインと、前記処理水流出ラインに設けられ、該処理水流出ラインに流れる処理水の流量を調整する流量調整弁と、前記処理水流出ラインから供給される処理水を貯留する貯水タンクと、前記貯水タンク内の処理水の水位を検出するレベルセンサと、前記レベルセンサの水位検出信号に基づいて前記流量調整弁を制御し、前記処理水ラインに流れる処理水流量を調整する制御部と、を備えたことを特徴とする純水製造装置。
【０００９】
（３）  一対の電極間に陽イオン交換膜および陰イオン交換膜を交互に配列することにより脱塩室および濃縮室が区画形成され、前記脱塩室にはイオン交換体が充填された電気脱イオンモジュールと、前記脱塩室に被処理水を流入させる脱塩室流入ラインと、前記濃縮室に被処理水を流入させる濃縮室流入ラインと、前記脱塩室流入ラインおよび前記濃縮室流入ラインに被処理水を供給する給水ポンプと、前記脱塩室においてイオンが除去された処理水が流出する処理水流出ラインと、前記濃縮室においてイオンが濃縮された濃縮水を排水する濃縮水排水ラインと、前記処理水流出ラインから供給される処理水を貯留する貯水タンクと、前記貯水タンク内の処理水の水位を検出するレベルセンサと、前記貯水タンク内の処理水を排出する処理水排出ラインに設けられた流量調整弁と、前記レベルセンサの水位検出信号に基づいて前記流量調整弁を制御し、前記処理水排出ラインに流れる処理水排出流量を調整する制御部と、を備えたことを特徴とする純水製造装置。
【００１０】
（４）  一対の電極間に陽イオン交換膜および陰イオン交換膜を交互に配列することにより脱塩室および濃縮室が区画形成され、前記脱塩室にはイオン交換体が充填された電気脱イオンモジュールと、前記脱塩室に被処理水を流入させる脱塩室流入ラインと、前記濃縮室に被処理水を流入させる濃縮室流入ラインと、前記脱塩室流入ラインおよび前記濃縮室流入ラインに被処理水を供給する給水ポンプと、前記脱塩室においてイオンが除去された処理水が流出する処理水流出ラインと、前記濃縮室においてイオンが濃縮された濃縮水を排水する濃縮水排水ラインと、前記処理水流出ラインから供給される処理水を貯留する貯水タンクと、前記処理水流出ラインの出口に設けられた、前記貯水タンク内の水面をフロートにより検出して処理水流出ラインを開閉する定水位弁と、を備えたことを特徴とする純水製造装置。
【００１１】
（５）  前記電気脱イオンモジュールに直流電圧および／または直流電流を印加する電源装置と、前記電源装置に接続され、前記レベルセンサの水位検出信号に基づいて前記電気脱イオンモジュールに印加する直流電圧および／または直流電流を制御する電源制御部と、を備えることを特徴とする（１）または（２）に記載の純水製造装置。
【発明の効果】
【００１２】
本発明の純水製造装置によれば、貯水タンク内の水面レベルを一定に保つことにより、貯水タンク内での炭酸ガスの再溶存を防止するとともに、気相部での窒素消費量を低減することができる。
【発明を実施するための最良の形態】
【００１３】
図１は、本発明の第１実施形態による純水製造装置のシステム構成図である。
【００１４】
図１において、符号１０は本実施形態の純水製造装置に適用される電気脱イオン装置を示している。
【００１５】
原水は、図示しない逆浸透膜装置により一次脱イオン処理された後、被処理水ライン１から給水ポンプ１１を介して電気脱イオン装置１０の電気脱イオンモジュール２へ送られ、二次脱イオン処理されるようになっている。
【００１６】
電気脱イオンモジュール２は、一対の電極間に、陽イオン交換膜および陰イオン交換膜を交互に配列することにより、脱塩室２ａ、濃縮室２ｂおよび電極室２ｃが区画形成され、脱塩室２ａにはイオン交換体が充填された周知構成のものである。脱塩室２ａには被処理水を流入させる脱塩室流入ライン３、および脱塩室２ａにおいてイオンが除去された処理水が流出する処理水流出ライン４が接続されている。濃縮室２ｂには、被処理水を流入させる濃縮室流入ライン５、および濃縮室２ｂにおいてイオンが濃縮された濃縮水を排水する濃縮水排水ライン６が接続されている。また、電極室２ｃには被処理水を流入させる電極室流入ライン７、および電極水排水ライン８が接続されている。脱塩室流入ライン３、処理水流出ライン４、濃縮室流入ライン５、濃縮水排水ライン６、電極室流入ライン７および電極水排水ライン８のそれぞれには流量調整弁９が設けられている。
【００１７】
処理水流出ライン４は、処理水を貯留する貯水タンク１２に接続されている。貯水タンク１２には、貯留されている処理水Ｗの水位を検知するレベルセンサ１３が設けられている。レベルセンサとしては、例えば、圧力センサ、静電容量センサ、差圧式センサのほか、水中に吊り下げたフロートの浮力を計測するディスプレースメントレベルセンサ、水中に挿入したパイプに気体を圧送して水頭と平衡するバブリング圧力によりレベルを求めるバブラーレベルセンサ、或いは貯水タンクの上方から水面に向かって超音波を投射して水面からの反射波を検出する超音波レベルセンサ等、種々のものが知られており、本発明においては周知のいかなるレベルセンサを用いてもよい。
【００１８】
レベルセンサ１３の検知信号は、電気脱イオン装置１０の制御部１４に送られ、制御部１４はインバータ１５を介して給水ポンプ１１の回転速度を制御するようになっている。すなわち、処理水である純水の消費量が急増するなどの理由により、貯水タンク１２の水面Ｗ１のレベルが予め設定した所定レベルより低下したときは、レベルセンサ１３の信号に基づいて給水ポンプ１１の回転速度を早くして電気脱イオンモジュール２への給水流量を増やすことにより、処理水流出ライン４に流出する処理水流量を増やし、これにより、貯水タンク１２の水面レベルを上げて所定レベルになるよう調整する。逆に、処理水の消費量が急減するなどの理由により、貯水タンク１２の水面Ｗ１のレベルが予め設定した所定レベルより上昇したときは給水ポンプ１１の回転速度を遅くして電気脱イオンモジュール２への給水流量を減らすことにより、処理水流出ライン４に流出する処理水流量を減らし、これにより、貯水タンク１２の水面レベルを下げて所定レベルになるよう調整する。このように、貯水タンク１２の水面レベルを所定レベルで一定に保つことにより、炭酸ガスの再溶存を少なくすることができるとともに、水面の上方の気相部１６の容積も一定となるため、気相部１６に送り込む窒素の量も一定となり、窒素消費量を低減することができる。
【００１９】
図２は、本発明の第２実施形態による純水製造装置のシステム構成図である。第２実施形態では、電気脱イオン装置１０における処理水流出ライン４に流量調整弁１７を設けている。そして、制御部１４はレベルセンサ１３の検知信号に基づいて流量調整弁１７を制御し、処理水流出ライン４の処理水流量を調整することにより、貯水タンク１２の水面レベルを第１実施形態と同様に所定レベルで一定に保っている。
【００２０】
図３は、本発明の第３実施形態による純水製造装置のシステム構成図である。第３実施形態では、貯水タンク１２と接続された処理水排出ライン１８に流量調整弁１９を設けている。そして、制御部１４はレベルセンサ１３の検知信号に基づいて流量調整弁１９を制御し、貯水タンク１２からの処理水排出流量（すなわち、ユースポイントへの純水の送水流量）を調整することにより、貯水タンク１２内の水面レベルを第１実施形態と同様に所定レベルで一定に保っている。
【００２１】
図４は、本発明の第４実施形態による純水製造装置のシステム構成図である。第４実施形態では、処理水流出ライン４の出口に、貯水タンク１２内の水面をフロートにより検出して処理水流出ライン４を開閉する定水位弁２２を設けている。そして、定水位弁２２の作動により、貯水タンク１２の水面レベルを第１実施形態と同様に所定レベルで一定に保っている。
【００２２】
図５は、本発明の第５実施形態による純水製造装置のシステム構成図である。第５実施形態では、制御部１４は、電気脱イオンモジュール２の電源装置２１にも接続され、レベルセンサ１３の検知信号に基づいて印加する直流電圧および／または直流電流を制御部１４により制御する。これにより、処理水流出ライン４の処理水流量が減った場合は、例えば印加電圧を下げて省エネルギ運転としつつ、ユースポイントで要求される純度の処理水を確保することができる。
【００２３】
以上、説明したように、本発明の実施形態によれば、レベルセンサ１３の検知信号に基づいて給水ポンプ１１の回転速度を制御することにより、貯水タンク１２内の水面レベルを一定に保つことができる。その結果、貯水タンク１２内での炭酸ガスの再溶存を防止しながら、気相部１６での窒素消費量を低減することができる。
【００２４】
また、本実施形態によれば、レベルセンサ１３の検知信号に基づいて処理水流出ライン４の流量調整弁１７を制御し、処理水流出ライン４の処理水量を調整することにより、貯水タンク１２内の水面レベルを一定に保つことができる。その結果、貯水タンク１２内での炭酸ガスの再溶存を防止しながら、気相部１６での窒素消費量を低減することができる。
【００２５】
また、本実施形態によれば、レベルセンサ１３の検知信号に基づいて貯水タンク１２と接続された処理水排出ライン１８の流量調整弁１９を制御し、貯水タンク１２からの処理水排出流量を調整することにより、貯水タンク１２内の水面レベルを一定に保つことができる。その結果、貯水タンク１２内での炭酸ガスの再溶存を防止しながら、気相部１６での窒素消費量を低減することができる。
【００２６】
また、本実施形態によれば、貯水タンク内の水面に応じて処理水流出ラインを開閉する定水位弁２２を設けることにより、貯水タンク１２内の水面レベルを一定に保つことができる。その結果、貯水タンク１２内での炭酸ガスの再溶存を防止しながら、気相部１６での窒素消費量を低減することができる。
【００２７】
また、本実施形態によれば、レベルセンサ１３の検知信号に基づいて印加する直流電圧および／または直流電流を制御することにより、処理水流出ライン４の処理水流量が減った場合は、印加電圧を下げて省エネルギ運転としつつ、ユースポイントで要求される純度の処理水を確保することができる。
【００２８】
以上、本発明の実施形態を説明したが、具体例を例示したに過ぎず、特に本発明を限定するものではなく、電気脱イオンモジュール２、被処理水ライン１、処理水流出ライン４、貯水タンク１２、レベルセンサ１３、制御部１４、インバータ１５等の具体的構成および配置は適宜設計変更可能である。また、上記の実施形態に記載された効果は、本発明から生じる最も好適な効果を列挙したに過ぎず、本発明による効果は、本発明の実施形態に記載されたものに限定されるものではない。
【図面の簡単な説明】
【００２９】
【図１】本発明の第１実施形態の純水製造装置のシステム構成図である。
【図２】本発明の第２実施形態の純水製造装置のシステム構成図である。
【図３】本発明の第３実施形態の純水製造装置のシステム構成図である。
【図４】本発明の第４実施形態の純水製造装置のシステム構成図である。
【図５】本発明の第５実施形態の純水製造装置のシステム構成図である。
【符号の説明】
【００３０】
１  被処理水ライン
２  電気脱イオンモジュール
２ａ  脱塩室
２ｂ  濃縮室
３  脱塩室流入ライン
４  処理水流出ライン
５  濃縮室流入ライン
６  濃縮水流出ライン
１１  給水ポンプ
１２  貯水タンク
１３  レベルセンサ
１４  制御部
１７、１９  流量調整弁
１８  処理水排出ライン
２２  定水位弁
【図１】
2010058012.tif 000003
【図２】
2010058012.tif 000004
【図３】
2010058012.tif 000005
【図４】
2010058012.tif 000006
【図５】
2010058012.tif 000007